【手続補正書】
【提出日】平成18年1月16日(2006.1.16)
【手続補正１】
【補正対象書類名】特許請求の範囲
【補正対象項目名】全文
【補正方法】変更
【補正の内容】
【特許請求の範囲】
【請求項１】
椅子型の本体と、使用者の腕を保持する腕保持部材と、この腕保持部材に設けてあり、そこに保持した腕を挟圧してエアマッサージを施すエアバッグと、このエアバッグを膨縮させる膨縮手段と、この膨縮手段の動作を制御する制御手段とを備えるマッサージ機において、
前記制御手段は、給気により前記エアバッグを膨張させる指令を前記膨縮手段に与える膨張指令出力手段を有し、前記エアマッサージが実施されることを前記使用者に知らせるとき、当該エアマッサージを実施する前の所定のタイミングで、前記膨張指令出力手段に前記指令を出力させて、給気により、前記エアバッグを、前記エアバッグの全部が膨張する状態より小さい膨張状態となるまで膨張させ、前記膨張状態となると給気を停止するようにしてあることを特徴とするマッサージ機。
【請求項２】
前記膨張指令出力手段は、前記エアマッサージ時における前記エアバッグの膨張速度より遅い膨張速度で前記エアバッグを膨張させる指令を前記膨縮手段に与えるようにしてある請求項１記載のマッサージ機。
【請求項３】
与えられた音声信号に対応する音声を出力する音声出力手段と、前記エアマッサージの実施に係る所定の音声信号を前記音声出力手段へ出力する音声信号出力手段とを備え、前記エアマッサージが実施されることを前記使用者に知らせるとき、当該エアマッサージを実施する前の所定のタイミングで、前記音声信号出力手段に前記音声信号を出力させるようにしてある請求項１又は２記載のマッサージ機。
【請求項４】
与えられた表示信号に係る表示を行う表示手段と、前記エアマッサージの実施に係る表示信号を前記表示手段へ出力する表示信号出力手段とを備え、前記エアマッサージが実施されることを前記使用者に知らせるとき、当該エアマッサージを実施する前の所定のタイミングで、前記表示信号出力手段に前記表示信号を出力させるようにしてある請求項１ないし３の何れか１つに記載のマッサージ機。
【請求項５】
前記表示信号出力手段は、前記エアマッサージの実施に係る所定の画像信号を前記表示手段へ出力するようにしてあり、前記表示手段は、前記表示信号出力手段から与えられた画像信号に対応する画像を表示するようにしてある請求項４記載のマッサージ機。
【手続補正２】
【補正対象書類名】明細書
【補正対象項目名】０００６
【補正方法】変更
【補正の内容】
【０００６】
請求項１記載の本発明は、椅子型の本体と、使用者の腕を保持する腕保持部材と、この腕保持部材に設けてあり、そこに保持した腕を挟圧してエアマッサージを施すエアバッグと、このエアバッグを膨縮させる膨縮手段と、この膨縮手段の動作を制御する制御手段とを備えるマッサージ機において、前記制御手段は、給気により前記エアバッグを膨張させる指令を前記膨縮手段に与える膨張指令出力手段を有し、前記エアマッサージが実施されることを前記使用者に知らせるとき、当該エアマッサージを実施する前の所定のタイミングで、前記膨張指令出力手段に前記指令を出力させて、給気により、前記エアバッグを、前記エアバッグの全部が膨張する状態より小さい膨張状態となるまで膨張させ、前記膨張状態となると給気を停止するようにしてあることを特徴とする。
【手続補正３】
【補正対象書類名】明細書
【補正対象項目名】０００７
【補正方法】変更
【補正の内容】
【０００７】
請求項２記載の本発明は、前記膨張指令出力手段は、前記エアマッサージ時における前記エアバッグの膨張速度より遅い膨張速度で前記エアバッグを膨張させる指令を前記膨縮手段に与えるようにしてあることを特徴とする。
【手続補正４】
【補正対象書類名】明細書
【補正対象項目名】０００８
【補正方法】変更
【補正の内容】
【０００８】
請求項３記載の本発明は、与えられた音声信号に対応する音声を出力する音声出力手段と、前記エアマッサージの実施に係る所定の音声信号を前記音声出力手段へ出力する音声信号出力手段とを備え、前記エアマッサージが実施されることを前記使用者に知らせるとき、当該エアマッサージを実施する前の所定のタイミングで、前記音声信号出力手段に前記音声信号を出力させるようにしてあることを特徴とする。
【手続補正５】
【補正対象書類名】明細書
【補正対象項目名】０００９
【補正方法】変更
【補正の内容】
【０００９】
請求項４記載の本発明は、与えられた表示信号に係る表示を行う表示手段と、前記エアマッサージの実施に係る表示信号を前記表示手段へ出力する表示信号出力手段とを備え、前記エアマッサージが実施されることを前記使用者に知らせるとき、当該エアマッサージを実施する前の所定のタイミングで、前記表示信号出力手段に前記表示信号を出力させるようにしてあることを特徴とする。
【手続補正６】
【補正対象書類名】明細書
【補正対象項目名】００１０
【補正方法】変更
【補正の内容】
【００１０】
請求項５記載の本発明は、前記表示信号出力手段は、前記エアマッサージの実施に係る所定の画像信号を前記表示手段へ出力するようにしてあり、前記表示手段は、前記表示信号出力手段から与えられた画像信号に対応する画像を表示するようにしてあることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項１記載の本発明にあっては、椅子型の本体と、使用者の腕を保持する腕保持部材と、この腕保持部材に設けてあり、そこに保持した腕を挟圧してエアマッサージを施すエアバッグと、このエアバッグを膨縮させる膨縮手段と、この膨縮手段の動作を制御する制御手段とを備えるマッサージ機において、前記制御手段は、給気により前記エアバッグを膨張させる指令を前記膨縮手段に与える膨張指令出力手段を有し、前記エアマッサージが実施されることを前記使用者に知らせるとき、当該エアマッサージを実施する前の所定のタイミングで、前記膨張指令出力手段に前記指令を出力させて、給気により、前記エアバッグを、前記エアバッグの全部が膨張する状態より小さい膨張状態となるまで膨張させ、前記膨張状態となると給気を停止するようにしてあるため、使用者は、このエアバッグの予備的な動作によって、腕のエアマッサージを実施することを予め感得することができる。これによって、使用者が無意識に腕のエアマッサージを含むマッサージを選択した場合であっても、不意に腕のエアマッサージが実施されることが防止され、使用者にストレスを与えない。
【手続補正９】
【補正対象書類名】明細書
【補正対象項目名】００１３
【補正方法】変更
【補正の内容】
【００１３】
請求項２記載の本発明にあっては、前記膨張指令出力手段は、前記エアマッサージ時における前記エアバッグの膨張速度より遅い膨張速度で前記エアバッグを膨張させる指令を前記膨縮手段に与えるようにしてあるため、使用者に腕のエアマッサージが実施されることを感得させることができると共に、前記エアバッグがゆっくり膨張するため、その間、使用者は自己の両腕の位置を調整することができる。
【手続補正１０】
【補正対象書類名】明細書
【補正対象項目名】００１４
【補正方法】変更
【補正の内容】
【００１４】
請求項３記載の本発明にあっては、与えられた音声信号に対応する音声を出力する音声出力手段と、前記エアマッサージの実施に係る所定の音声信号を前記音声出力手段へ出力する音声信号出力手段とを備え、前記エアマッサージが実施されることを前記使用者に知らせるとき、当該エアマッサージを実施する前の所定のタイミングで、前記音声信号出力手段に前記音声信号を出力させるようにしてあるため、使用者は、出力された音声によって、腕のエアマッサージを実施することを予め知得することができる。これによって、使用者が無意識に腕のエアマッサージを含むマッサージを選択した場合であっても、不意に腕のエアマッサージが実施されることが防止され、使用者にストレスを与えない。
【手続補正１１】
【補正対象書類名】明細書
【補正対象項目名】００１５
【補正方法】変更
【補正の内容】
【００１５】
請求項４記載の本発明にあっては、与えられた表示信号に係る表示を行う表示手段と、前記エアマッサージの実施に係る表示信号を前記表示手段へ出力する表示信号出力手段とを備え、前記エアマッサージが実施されることを前記使用者に知らせるとき、当該エアマッサージを実施する前の所定のタイミングで、前記表示信号出力手段に前記表示信号を出力させるようにしてあるため、使用者は、かかる表示によって、腕のエアマッサージを実施することを予め知得することができる。これによって、使用者が無意識に腕のエアマッサージを含むマッサージを選択した場合であっても、不意に腕のエアマッサージが実施されることが防止され、使用者にストレスを与えない。
【手続補正１２】
【補正対象書類名】明細書
【補正対象項目名】００１６
【補正方法】変更
【補正の内容】
【００１６】
請求項５記載の本発明にあっては、前記表示信号出力手段は、前記エアマッサージの実施に係る所定の画像信号を前記表示手段へ出力するようにしてあり、前記表示手段は、前記表示信号出力手段から与えられた画像信号に対応する画像を表示するようにしてあるため、使用者は、表示された画像によって、腕のエアマッサージを実施することを予め知得することができる。これによって、使用者が無意識に腕のエアマッサージを含むマッサージを選択した場合であっても、不意に腕のエアマッサージが実施されることが防止され、使用者にストレスを与えない。
【手続補正１３】
【補正対象書類名】明細書
【補正対象項目名】００１７
【補正方法】削除
【補正の内容】
【手続補正１４】
【補正対象書類名】明細書
【補正対象項目名】００１９
【補正方法】変更
【補正の内容】
【００１９】
即ち、本発明では、椅子型の本体と、使用者の腕を保持する腕保持部材と、この腕保持部材に設けてあり、そこに保持した腕を挟圧してエアマッサージを施すエアバッグと、このエアバッグを膨縮させる膨縮手段と、この膨縮手段の動作を制御する制御手段とを備えている。この制御手段には、給気により前記エアバッグを膨張させる指令を前記膨縮手段に与える膨張指令出力手段が設けてあり、前記エアマッサージが実施されることを前記使用者に知らせるとき、当該エアマッサージを実施する前の所定のタイミングで、前記膨張指令出力手段に前記指令を出力させて、前記エアバッグへの給気経過時間等に基づいて、給気により、前記エアバッグを、前記エアバッグの全部が膨張する状態より小さい膨張状態となるまで膨張させ、前記膨張状態となると給気を停止するようにしてある。これによって、使用者の両腕が共に、エアマッサージの挟圧力で拘束することが回避され、使用者に与えることあるストレスを可及的に低減することができる。
【手続補正１５】
【補正対象書類名】明細書
【補正対象項目名】００２０
【補正方法】変更
【補正の内容】
【００２０】
そして、前記エアバッグへの給気を停止した後、膨縮手段には、エアバッグを縮小させる指令が与えられ、膨縮手段は腕保持部材のエアバッグを縮小させる。このようにして、腕保持部材に保持した腕を挟圧するエアマッサージを実施する前の所定のタイミングで、エアバッグを膨張させ、膨張を停止させることにより、またさらには縮小させることにより、腕のエアマッサージを実施することを、機械的に、使用者に感得させる。このエアバッグを膨張させ、膨張を停止させるタイミング、またさらに縮小させるタイミングは、腕を挟圧するエアマッサージを実施する前であればよいが、好ましくは、腕を挟圧するエアマッサージが開始されるまでに適宜の時間が隔てられたタイミングにする。これによって、腕を挟圧するエアマッサージとの混同を生じさせることなく、当該エアマッサージを実施することを確実に使用者に感得させることができる。なお、前述した膨張指令出力手段による膨張指令の出力タイミングは、当該膨張指令出力手段に設定しておくこともでき、また、前記制御手段に設定しておき、制御手段から指令が与えられたとき、膨張指令出力手段が膨張指令を出力するようにすることもできる。
【手続補正１６】
【補正対象書類名】明細書
【補正対象項目名】００２２
【補正方法】変更
【補正の内容】
【００２２】
また、スピーカなど、与えられた音声信号に対応する音声を出力する音声出力手段と、前記エアマッサージの実施に係る所定の音声信号を前記音声出力手段へ出力する音声信号出力手段とを備え、腕のエアマッサージを実施するとの音声メッセージたるエアマッサージの実施に係る所定の音声信号を、音声信号出力手段から前記音声出力手段へ出力する構成にすることができる。そして、腕のエアマッサージを実施する前の所定のタイミングで、前記音声信号出力手段に前記音声信号を出力させる。この音声信号の出力タイミングは、前同様、音声信号出力手段に設定しておくこともでき、また、前記制御手段に設定しておき、制御手段から指令が与えられたとき、音声信号出力手段が音声信号を出力するようにすることもできる。このようにして、腕保持部材に保持した腕を挟圧するエアマッサージを実施する前の所定のタイミングで、腕のエアマッサージを実施することを、音声によって使用者に知得させる。
【手続補正１７】
【補正対象書類名】明細書
【補正対象項目名】００２３
【補正方法】変更
【補正の内容】
【００２３】
更に、与えられた表示信号に係る表示を行う表示手段と、腕のエアマッサージの実施に係る表示信号を前記表示手段へ出力する表示信号出力手段とを備え、腕のエアマッサージを実施するとの表示メッセージたるエアマッサージの実施に係る表示信号を出力する構成にすることができる。そして、腕のエアマッサージを実施する前の所定のタイミングで、表示信号出力手段に表示信号を出力させる。この表示信号を出力させるタイミングは、腕のエアマッサージを実施する前であればよいが、好ましくは、腕のエアマッサージを含むマッサージコースが選択されたタイミングにする。これによって、腕のエアマッサージが実施されることを使用者に確実に知得させることができる。